(57)【要約】【課題】発光色が異なる複数の発光ダイオードに供給する電力値の設定により、多くの色相の光線を発光し得る照明制御装置を構成する。【解決手段】予め設定された時間間隔Ｔを、第１管理領域と第２管理領域とに分割し、夫々の管理領域において発光ダイオードＬＥＤ−Ｒ、ＬＥＤ−Ｇ、ＬＥＤ−Ｂに対する駆動信号を出力するよう出力タイミングを設定し、かつ、ＯＮ時間を設定することによりＰＷＭ制御によって複数の発光ダイオードの光量の設定を行い、この時間間隔ＴにおけるＯＮ時間ｔ１、ｔ２の継続時間の総和を、出力色データに設定されたＯＮ時間と等しくするよう処理形態を設定した。【選択図】  図１０
2004342399.tif 000002
【特許請求の範囲】
【請求項１】
発光色が異なる複数の発光体を有する光源を備え、夫々の発光体の発光量の調節により、光源から発する光線の色相を制御する制御手段を備えている照明制御装置であって、
前記制御手段が、前記複数の発光体に電力を供給する複数の出力端子を有した制御部と、この複数の出力端子から駆動信号を出力するプログラムとを備えて構成されると共に、
前記プログラムは、予め設定された時間間隔毎に前記複数の出力端子を指定し、かつ、このように指定した出力端子から出力される前記駆動信号の出力時間を調節することで発光体の光量を調節する光量制御ルーチンを有して成り、
前記光量制御ルーチンは、前記時間間隔内において、複数のタイミングで駆動信号を出力し、かつ、この複数のタイミングで出力する駆動信号の継続時間の総和を前記出力時間と等しくするよう処理形態を設定してある照明制御装置。
【請求項２】
前記複数の発光体が、赤、緑、青の三原色となる発光ダイオードを備えて構成されると共に、前記プログラムは、夫々の発光ダイオードに供給する電力を時間経過に伴って変更することにより前記光源から発する光線の色相を変化させる処理を実行し、この処理を予め設定された時間の経過後に終了する調色ルーチンを有している請求項１記載の照明制御装置。
【請求項３】
前記制御手段に対して所定の制御を実行させるスイッチ、又は、制御を停止するスイッチを備えると共に、夫々のスイッチの状態をチェックするポーリング作動を、前記時間間隔内において前記複数のタイミングに等しい回数だけ実行するよう構成してある請求項１又は２記載の照明制御装置。
【請求項４】
前記制御部が４ビットマイコンで構成され、前記時間間隔が２０ｍ秒にセットされると共に、この時間間隔を２分割する管理領域を設定し、これらの管理領域において前記プログラムに基づいて設定されるタイマで前記駆動信号の出力時間を管理するよう前記光量制御ルーチンが構成されている請求項１〜３のいずれか１項に記載の照明制御装置。
【発明の詳細な説明】
【０００１】
【発明の属する技術分野】
本発明は、発光色が異なる複数の発光体を有する光源を備え、夫々の発光体の発光量の調節により、光源から発する光線の色相を設定する制御手段を備えている照明制御装置に関し、詳しくは、予め設定されたプログラムに従って光源が発する光線の色相を設定する技術に関する。
【０００２】
【従来の技術】
上記のように構成された照明制御装置として、光源（３）に備えられた三原色となる発光ダイオードを制御して任意の色相の光線を得るための４ビット型マイコン（２０）（本発明の制御手段）を備え、このマイコン（２０）が、予め設定されたプログラムを実行することによって、夫々の発光ダイオードに供給する電力をＰＷＭ（Ｐｕｌｓｅ  Ｗｉｄｔｈ  Ｍｏｄｕｌａｔｉｏｎ）制御によって調節することや、専用の電力制御系を制御するものが存在する（例えば、特許文献１参照・番号は文献中のものを引用）。
【０００３】
【特許文献１】
特開２００２‐２８９００５号公報（段落番号〔００２４〕〜〔００２７〕）
【０００４】
【発明が解決しようとする課題】
複数の発光ダイオードに供給する電力の設定によって光源が発する光の色相を自在に設定する制御を考えるに、図１４に示すスタティック型の回路を想定できる。この回路では、赤色、緑色、青色に発光する３種の発光ダイオードＬＥＤ−Ｒ、ＬＥＤ−Ｇ、ＬＥＤ−Ｂで光源が構成され、夫々の発光ダイオードＬＥＤ−Ｒ、ＬＥＤ−Ｇ、ＬＥＤ−Ｂに対して電力を供給する夫々の電力経路に対して抵抗器Ｒ１〜Ｒ７を備え、これらの抵抗器Ｒ１〜Ｒ７に対して電力を流す複数のトランジスタＱ１〜Ｑ７を備え、更に、夫々のトランジスタＱ１〜Ｑ７に制御信号を入力する入力部Ｐ１〜Ｐ７を形成している。そして、複数の入力部Ｐ１〜Ｐ７のうち、発光ダイオードＬＥＤ−Ｒ、ＬＥＤ−Ｇ、ＬＥＤ−Ｂに対応するものを選択して（複数の入力部を選択しても良い）電圧信号を印加することにより、対応する発光ダイオードが抵抗器を流れる電流値に見合った光量で発光することにより必要とする色相の光線を得るものとなっている。
【０００５】
このように、発光ダイオードに供給する電流値の設定によって発光ダイオードの明るさを調節するものでは、入力部を選択し、選択した入力部の電位を切換えるだけの制御によって異なる色相の発光を得るものであるが、回路が複雑化するばかりでなく、部品点数が増大しやすいものとなる。特に光源から発する光線の色相の種類を増大させる（色の分解能を高める）には、部品点数が一層増大するものとなり改善の余地がある。
【０００６】
そこで、特許文献１に記載されるもののように、ＰＷＭ制御によって発光ダイオードに供給する電力値を制御することも考えられる。このようにＰＷＭ制御によって光源の色相や、光量を調節するものは、図１４に示した回路を採用するものと比較して部品数を大幅に低減することが可能となる。又、ＰＷＭ制御によって電力を設定するものを考えると、パルス信号を出力する間歇駆動のインターバルが長い場合には、光源の明滅を視覚的にチラツキとして感ずるため、チラツキを感じさせないように間歇駆動の周期を短く設定する必要がある。しかしながら、４ビットマイコンのように処理速度が低い制御手段を用いたものでは、コストの低減が可能である反面、タイマの基準となるパルス信号の周波数が低いため、チラツキを感じさせないようにＰＷＭ制御のインターバルを短く設定した場合には、このインターバル内においてタイマで設定されるＯＮ時間の微小な調節を行い難く、発光色の数が制限される（分解能が低下する）点において改善が望まれている。尚、個人差もあるが、発光体を間歇的に発光させた場合に、その発光回数が１秒間に５０回程度以下の場合に視覚的にチラツキを感じ、発光回数が１００回を越えた場合に殆どチラツキを感じないと考えられている。
【０００７】
本発明の目的は、発光色が異なる複数の発光体に供給する電力を細かく設定することによって、チラツキを感じさせることなく、しかも、できるだけ多くの色相の光線を発光し得る照明制御装置を合理的に構成する点にある。
【０００８】
【課題を解決するための手段】
本発明の請求項１に係る照明制御装置の特徴、作用・効果は次の通りである。
〔特徴〕
発光色が異なる複数の発光体を有する光源を備え、夫々の発光体の発光量の調節により、光源から発する光線の色相を制御する制御手段を備えている照明制御装置において、前記制御手段が、前記複数の発光体に電力を供給する複数の出力端子を有した制御部と、この複数の出力端子から駆動信号を出力するプログラムとを備えて構成されると共に、前記プログラムは、予め設定された時間間隔毎に前記複数の出力端子を指定し、かつ、このように指定した出力端子から出力される前記駆動信号の出力時間を調節することで発光体の光量を調節する光量制御ルーチンを有して成り、前記光量制御ルーチンは、前記時間間隔内において、複数のタイミングで駆動信号を出力し、かつ、この複数のタイミングで出力する駆動信号の継続時間の総和を前記出力時間と等しくするよう処理形態を設定してある点にある。
【０００９】
〔作用・効果〕
上記特徴によると、光量制御ルーチンが予め設定された時間間隔でＰＷＭ制御の形態で出力端子から出力する駆動信号の出力時間を調節することにより、複数の発光体に供給する電力を独立に調節して光源から発する光線の色相を任意に設定できるものとなる。そして、発光体に電力を供給する場合には、前記時間間隔内において複数のタイミングで駆動信号を出力するので、発光体の発光のインターバルを短くしてチラツキとして感じさせないものにすると同時に、これらの駆動信号の継続時間の総和を出力時間と等しくすることにより、発光色の数（分解能）を低下させることもない。
【００１０】
つまり、マイコン（制御手段）での処理を例に挙げると、８ビットマイコンのように、比較的高速処理が可能なマイコンの場合には、図１３（ａ）に示すように、１０ｍ秒に１００パルスの信号を出力し、この信号を基準にして設定されたＴｘ時間だけＯＮ信号を出力する形態でＰＷＭ制御を実行することも可能である。具体的には、１０ｍ秒間隔、つまり、１秒間に発光ダイオードを１００回点灯させる処理を行うことにより、チラツキを感じさせない状態での発光を実現するのである。しかしながら、４ビットマイコンのように処理速度が低いマイコンでは、図１３（ｂ）に示すように、ＰＷＭ制御を行うために１００パルスの信号を出力するために２０ｍ秒を必要とするものもあり、この処理ではＰＷＭ制御によって（ａ）に示した処理と同じ光量の発光を得るためにはＴｘ時間の２倍となるＴｙ時間（Ｔｙ＝Ｔｘ＋Ｔｘ）だけＯＮ信号を出力することが必要となり、この処理では、１秒間に発光ダイオードを５０回しか点灯できないのでチラツキを感ずるものとなる。
【００１１】
これに対して、本発明によると、例えば、低速のマイコンにおいては、図１３（ｃ）に示すように１００パルスの信号が出力される間に複数回（同図では２回）に亘り、ｔ１時間とｔ２時間となるＯＮ信号を出力するので視覚的にチラツキを感ずることがなく、夫々のＯＮ信号の出力時間の出力時間の総和を前記Ｔｙ時間と等しくすること（ｔ１＋ｔ２＝Ｔｙ）により、発光色の数（分解能）を低下させることもないのである。その結果、処理速度が低いマイコン（制御手段）を用いても、チラツキを感じさせず、多くの色相を高い分解能で発光し得る照明制御装置が合理的に構成されたのである。
【００１２】
本発明の請求項２に係る照明制御装置の特徴、作用・効果は次の通りである。
〔特徴〕
請求項１記載の照明制御装置において、前記複数の発光体が、赤、緑、青の三原色となる発光ダイオードを備えて構成されると共に、前記プログラムは、夫々の発光ダイオードに供給する電力を時間経過に伴って変更することにより前記光源から発する光線の色相を変化させる処理を実行し、この処理を予め設定された時間の経過後に終了する調色ルーチンを有している点にある。
【００１３】
〔作用・効果〕
上記特徴によると、赤、緑、青の三原色となる発光ダイオードで成る発光体を調色ルーチンに従って制御することにより、夫々の発光ダイオードに供給する電力を変更することになるので、時間経過に伴って光源から発する光線の色相を多様に設定できるものとなり、しかも、所定時間の経過後に自動的に制御を終了することにより、人為的に制御を停止させる必要もない。その結果、多様な色相の光線を時間経過に伴って発生させ、人為操作を行わずとも、その発光を自動的に終了させるものとなった。
【００１４】
本発明の請求項３に係る照明制御装置の特徴、作用・効果は次の通りである。
〔特徴〕
請求項１又は２記載の照明制御装置において、前記制御手段に対して所定の制御を実行させるスイッチ、又は、制御を停止するスイッチを備えると共に、夫々のスイッチの状態をチェックするポーリング作動を、前記時間間隔内において前記複数のタイミングに等しい回数だけ実行するよう構成してある点にある。
【００１５】
〔作用・効果〕
上記特徴によると、前記時間間隔において複数回のポーリング作動を行うので、スイッチを操作した場合にも、比較的短い時間内にスイッチ操作を検出して必要とする制御を実行できる。その結果、大きい時間遅れを招くことなく、スイッチ操作に基づいた制御を実行できるものとなった。
【００１６】
本発明の請求項４に係る照明制御装置の特徴、作用・効果は次の通りである。
〔特徴〕
請求項１〜３のいずれか１項に記載の照明制御装置において、前記制御部が４ビットマイコンで構成され、前記時間間隔が２０ｍ秒にセットされると共に、この時間間隔を２分割する管理領域を設定し、これらの管理領域において前記プログラムに基づいて設定されるタイマで前記駆動信号の出力時間を管理するよう前記光量制御ルーチンが構成されている点にある。
【００１７】
〔作用・効果〕
上記特徴によると、２０ｍ秒を２分割した管理領域において、タイマで設定された時間だけ駆動信号を出力することにより、管理領域で必要とする時間だけ発光体を発光させ得るものとなり、又、発光体の発光を１０ｍ秒間隔、即ち、１秒間に１００回行うことにより、視覚的にチラツキを感ずることがない。その結果、４ビットマイコンを用いることにより、例えば、８ビット以上のマイコンを用いる場合のようにコストの上昇を招くことがなく、チラツキを感じさせることなく発光体を制御できるものとなった。
【００１８】
【発明の実施の形態】
〔第１実施の形態〕
以下、本発明の第１実施の形態を図面に基づいて説明する。
図１〜図４に示すように、上端と下端とに開口部１、２が形成された筒状の本体Ａの内部に密封構造のケーシングＢを備えると共に、このケーシングＢの内部に光源３と、制御基板４と、電池収納部５と、電源スイッチ７及び調光スイッチ８をユニット化したスイッチユニットＳＷとを備えて照明装置が構成されている。前記スイッチユニットＳＷの一対の操作ノブ７Ａ、８Ａは本体Ａの下部の外面に露出する状態で配置してある。そして、この照明装置は、本体Ａの上端の開口部１に対して半透明（透明であっても良い）なカップ状の被照明体Ｃを嵌め込む形態で使用されるものであり、この被照明体Ｃを光源３からの光線で照明することによって、被照明体Ｃばかりで無く被照明体Ｃの内部の収納物の照明も行うよう構成されている。
【００１９】
この被照明体Ｃは、その底壁の外周部に前記本体Ａの上端の開口部１に接当する接当部１０をリング状に形成し、その下部に下方に突出する突出部１１を形成した略一定の厚みで上方に開放するカップ状に成形されている。図１には収納物の一例として光線の透過を許す透明のゲル状の芳香剤１２を貯留した状態を示している。尚、収納物として、芳香剤以外に、鑑賞用の植物や、照明によって映える装飾品や、装身具が考えられる。
【００２０】
前記本体Ａは平面視で円形で上端側を下端側より少し小径とすることで側面視で台形となる形状で、上端と下端とに円形となる前記開口部１、２が形成されている。この本体Ａは光線が透過する透明な樹脂（素材は後述する）で一体的に形成され、この樹脂の表面を磨りガラス状に加工して光線を拡散させるよう構成されている。
【００２１】
前記ケーシングＢは、平面視で円形となる上壁１５と、側壁１６とを一体成形すると共に、プレート状の底壁１７を複数のビス１８により固定した構造であり、上壁１５と側壁１６とに光線が透過する半透明（透明でも良い）な樹脂（素材は後述する）を用いている。又、本体下部の内面に対して環状に凹状の嵌合溝Ａｄを形成してあり、ケーシングＢの側壁１６の外面には嵌合溝Ａｄに嵌合、及び、分離自在な嵌合部１６ｄを環状に成形してあり、この嵌合部１６ｄを嵌合溝Ａｄに弾性的に嵌合させることで本体ＡとケーシングＢとを連結し、ケーシングＢを本体Ａから下方に抜き出して、夫々を分離することも可能に構成されている。前記制御基板４は平面視で円形に成形され、この制御基板４の上面側の中央位置に前記光源３を配置してある。特に、ケーシングＢの内部に配置される制御基板４の上面には光源３からの光線を吸収しないようにシルク印刷によって白色の塗料の膜を形成してあり、前記操作ノブ７Ａ、８Ａを本体Ａから露出させるよう、本体Ａの下部には切り欠き部Ａｅが形成されている。
【００２２】
このケーシングＢの上壁１５は、平面視で円形で上端部が中央側ほど上方に突出する形状に成形した調光部材１５Ａと、この調光部材１５Ａの中央位置に嵌め込み固定した凹レンズ１５Ｂとで構成されている。
【００２３】
この凹レンズ１５Ｂは調光部材１５Ａと比較して光線の透過率と屈折率とを高く設定したものであるが、前記本体Ａと、ケースＢとに同じ素材を用いることも可能である。具体的にはゼオノア（〈シクロオレフィンポリマー〉日本ゼオン株式会社の登録商標）、ポリカーボネート、アクリル等の樹脂が透明性、耐衝撃性から適当であるが、ガラスを用いることも可能である。そして、凹レンズ１５Ｂとして、前述した樹脂を光学レンズと同様に透明な状態で使用することが可能である。又、本体Ａ及びケーシングＢ（上壁と側壁）として、前述した樹脂を磨りガラスのように表面を加工して光線を拡散させ得る形態で使用することや、着色した樹脂を用いて光源３からの光線を着色する形態で使用することや、半透明な樹脂を用いて間接照明的な光線を得る形態で使用することや、あるいは、表面にアルミニウムや金等の金属薄膜を真空蒸着の技術で形成することにより、表面で光線の一部を反射させる形態で使用することも可能である。
【００２４】
このように照明系が構成されているので、光源３から送出された光線は図５に示す如く、凹レンズ１５Ｂに達したものは屈折することで発散し、偏った照明を行うことなく被照明体Ｃを平均的に照明するものとなる。又、調光部材１５Ａに達した光線は該調光部材１５Ａを透過する際に一部が吸収されるものの、この調光部材１５Ａの内部で散乱し、あたかも、この調光部材１５Ａの全体が発光するように広い表面から光線を送り出すので、間接照明と同様の柔らかい光線を送出して影を作り難い照明を行うものとなる。又、凹レンズ１５Ｂや調光部材１５Ａの下面で反射した光線はケーシングＢの内部で反射して一層拡散して光量を平均化させるものとなる。特に、調光部材１５Ａを、中央位置を上方に突出させた形状に成形してあるので、光源３を基準にして調光部材１５Ａの中央が光源３に接近し過ぎる現象を回避して、光源３からの光線を調光部材１５Ａへ平均的に送り、偏りの無い照明を行えるものにしている。尚、光源３からの光線が調光部材１５Ａや、凹レンズ１５Ｂ、あるいは、被照明体Ｃを透過する際の光線の方向（屈折による方向）はスネルの法則に従って説明できるものである。
【００２５】
従って、本発明では本体Ａの上端の開口部１に対してカップ状の芳香剤１２等の被照明体Ｃを載置することにより、この被照明体Ｃや、被照明体Ｃの内部に収めた収納物を、光量に偏りのない平均的な光量で照明できるばかりでなく、調光部材１５Ａで拡散した柔らかい光線で、間接照明のように被照明体Ｃを照明できるので影を作らない状態での照明を可能にするものとなっている。又、照明時にはケーシングＢの内部で乱反射した光線が調光部材１５Ａから本体に達するので、調光部材１５Ａや本体Ａを照明して、この照明装置全体を明るくして存在感を示すものとなっている。又、このように照明が行われる際には、被照明体Ｃの下面の突出部１１が凹レンズ１５Ｂに近接しているので、被照明体Ｃの内部に多くの光量を取込んで、芳香剤１２等の被照明体Ｃを強く照明できるものとなっている。
【００２６】
前記光源３は加色法での三原色となる赤色（Ｒ）、緑色（Ｇ）、青色（Ｂ）の３種の高輝度の発光ダイオードＬＥＤ−Ｒ、ＬＥＤ−Ｂ、ＬＥＤ−Ｇ（発光体の一例、図６を参照）を１つのパッケージに収納して成り、前記電池収納部５は、複数の乾電池が収納される空間を底壁１７の成形により形成してあり、この空間を開閉する蓋体１９を底壁１７に対して着脱自在に備えて構成されている。
【００２７】
前記制御基板４の底面側には、照明制御装置を構成する制御手段としてプログラムがセットされた４ビットマイコン２０を備えている。本発明の照明装置では、前記マイコン２０による制御形態に特徴を有するものであり、その詳細を以下に説明する。
【００２８】
図６に示すように、前記マイコン２０の入力端子に対して前記電源スイッチ７と調光スイッチ８とからの信号を入力する系が形成されると共に、このマイコン２０には、前記光源３を構成する三原色の発光ダイオードＬＥＤ−Ｒ、ＬＥＤ−Ｂ、ＬＥＤ−Ｇを駆動するトランジスタＱｒ、Ｑｇ、Ｑｂに対して制御信号を出力する出力端子が形成され、又、電源回路（図示せず）からマイコン２０と、電源スイッチ７と、調光スイッチ８とに電力を供給する系（ＶＤＤ）と、前記光源３を構成する３種の高輝度の発光ダイオードＬＥＤ−Ｒ、ＬＥＤ−Ｂ、ＬＥＤ−Ｇに対して前記電池収納部５に収納された乾電池からの電力を供給する電力系（ＢＡＴＴ）が形成されている。
【００２９】
前記マイコン２０にセットされたプログラムは、図１０に示されるように、予め設定された時間間隔Ｔにおいて、複数のタイミングで前記トランジスタＱｒ、Ｑｇ、ＱｂをＯＮ制御することにより、前記発光ダイオードＬＥＤ−Ｒ、ＬＥＤ−Ｂ、ＬＥＤ−Ｇを間歇的に駆動し、所謂、ＰＷＭ（Ｐｕｌｓｅ  Ｗｉｄｔｈ  Ｍｏｄｕｌａｔｉｏｎ）制御によって発光ダイオードＬＥＤ−Ｒ、ＬＥＤ−Ｂ、ＬＥＤ−Ｇの光量を設定し、加色法により光源３の色相を設定する制御を実行するものであり、このプログラムにおける制御の概要を図７のフローチャートのように示すことが可能であり、その制御を以下に説明する。
【００３０】
電源スイッチ７をＯＮ操作して制御を開始した場合には、ＲＡＭのクリヤ、出力ポートの初期化、ポーリング作動のタイミングの設定、稼動タイマの設定等の初期設定の後に、初期出力色データをセットする（＃０１、＃０２ステップ）。
【００３１】
これらの処理のうち、ポーリング作動のタイミングとは、電源スイッチ７と調光スイッチ８との操作状況をマイコン２０でチェックする時間間隔のことであり、このポーリング作動は、図１０に示す第１管理領域及び第２管理領域夫々の先頭のタイミング（Ｐ）を設定して１０ｍ秒毎に行われる。又、稼動タイマは、予め設定された時間（例えば２時間）が経過した後に、この制御を終了するためのタイマである。
【００３２】
次に、光量制御ルーチン（＃１００ステップ）と、変更ルーチン（＃２００ステップ）とを実行すると共に、電源スイッチ７が再度ＯＮ操作された場合、及び、前記稼動タイマにセットされた設定時間（例えば２時間）が経過した場合に出力色データを保存した後に制御を停止する処理が実行される（＃０３〜＃０５ステップ）。又、図７のフローチャートでは、光量制御ルーチン（＃１００ステップ）と、変更ルーチン（＃２００ステップ）との制御を特徴的に説明しているが、厳密には前記ポーリング作動に必要なタイマと、稼動タイマとの処理に並行して光量制御ルーチンと変更ルーチンとが実行される。
【００３３】
前記光量制御ルーチン（＃１００ステップ）はサブルーチンとしてセットされるものであり、その処理の概要を図８のフローチャートのように示すことが可能である。つまり、この光量制御ルーチンでは、１０ｍ秒の間に制御を終える必要があるため、第１管理領域で駆動信号を出力する制御と、第２管理領域で駆動信号を出力する制御とを交互に行うものとなっており、この制御を実現するために、フラグに基づいて第１管理領域と第２管理領域との何れに駆動信号を出力するかを判別した後に、出力色データに基づき対応する管理領域でのＯＮ時間を設定する（＃１０１〜１０３ステップ）。このようにＯＮ時間を設定する際には、第１管理領域に対応してＯＮ時間（ｔ１）が設定され、第２管理領域に対応してＯＮ時間（ｔ２）が設定される。
【００３４】
前記出力色データとは、３つの発光ダイオードＬＥＤ−Ｒ、ＬＥＤ−Ｂ、ＬＥＤ−Ｇの少なくとも１つを発光させることにより、設定された色相で、設定された光量の光線を得るためにＰＷＭ制御のデューティ比を示すデータであり、本発明では出力色データが示すデューティ比のうちＯＮ時間を第１、第２管理領域でのＯＮ時間（ｔ１、ｔ２）に振り分けているのである。
【００３５】
次に、前述のように設定されたＯＮ時間（ｔ１又はｔ２）をタイマにセットし、出力端子をセットし、設定されたタイミングで駆動信号を出力し、更に、この出力の後にはフラグのデータを切り換える処理を行うものとなっている（＃１０４、＃１０５ステップ）。つまり、この光量制御ルーチン（＃１００ステップ）では、前記初期設定（＃０１ステップ）の処理においてフラグのデータを「１」にセットし、＃１０５ステップでフラグのデータが「１」にある場合には「０」に切換え、フラグのデータが「０」にある場合には「１」に切り換える処理を行うことにより、１０ｍ秒の制御毎に第１管理領域で駆動信号を出力する制御と、第２管理領域で駆動信号を出力する制御とを交互に行うものにしているのである。尚、この光量制御ルーチンではフラグを用いずに、第１管理領域に対応した制御と、第２管理領域に対応した制御との切換えを行うための参照データを、データ領域等に保存し、この参照データを前述したフラグと同様に更新するよう制御形態を設定することも可能である。
【００３６】
前記タイマはマイコンの内部に具備するものを指しており、このタイマは、時間データをセットして所定のコマンドを実行することで機能する。又、前記光量制御ルーチン（＃１００ステップ）では、１つの発光ダイオードに対する制御を説明しているが、この光量制御ルーチンは３つの発光ダイオードＬＥＤ−Ｒ、ＬＥＤ−Ｂ、ＬＥＤ−Ｇ夫々に対して行われる。
【００３７】
この制御の具体的な駆動形態を図１０のタイミングチャートに基づいて説明する。前記４ビットマイコン２０は２０ｍ秒の間に１００パルスのパルス信号を出力する性能のものが使用され、この制御では２０ｍ秒を１制御単位として時間間隔Ｔ（インターバル）に設定すると共に、この２０ｍ秒に設定された時間間隔Ｔを１０ｍ秒の前記第１管理領域と、１０ｍ秒の第２管理領域とに２分割することにより、第１管理領域と第２管理領域とにおいて、５０パルスのパルス信号を得ており、このパルス信号を基準として前述したように前記タイマが作動することにより、第１管理領域では駆動信号（ＯＮ信号）をｔ１時間だけ出力し、第２管理領域では駆動信号（ＯＮ信号）をｔ２時間だけ出力している。尚、前記ポーリング作動もパルス信号に基づいてタイミングが設定されるものであり、前記マイコン２０では同図にＰで示したように１０ｍ秒間隔でポーリング作動が実行される。
【００３８】
このように、前記時間ｔ１とｔ２とを加算した値が前記出力色データに設定されたデューティ比のＯＮ時間と一致するものとなり、特に、この出力色データに設定されたＯＮ時間は前記時間間隔Ｔにおいて振り分けられるものであるが、この出力色データは、第１管理領域と第２管理領域とにおけるＯＮ時間を独立したデータとして保存した構造のものであっても良い。又、本発明では、時間間隔Ｔを３つ以上に分割し、分割した夫々の時間内でＯＮ信号を出力するよう処理形態を設定することも可能である。
【００３９】
前記変更ルーチン（＃２００ステップ）は、出力色データを変更し、かつ、変更した出力色データを前記光量制御ルーチン（＃１００ステップ）に受け渡すためのサブルーチンとしてセットされたものである。つまり、図９のフローチャートに示すように、前述したポーリング作動によって調光スイッチ８のＯＮ操作を検出すると、（ａ）そのＯＮ時間が３０ｍ秒以上、１２００ｍ秒未満の場合には出力色データを変更し、（ｂ）そのＯＮ時間が１２００ｍ秒以上の場合には、出力色データを１２００ｍ秒毎に変更し、（ｃ）そのＯＮ時間が３０ｍ秒未満の場合には出力色データは変更しない制御を実行する（＃２０１、＃２０２ステップ）。又、出力色データを変更する処理としては、予め設定された順序（保存されているデータ）に従って出力色データを切り換えるように出力色データを変更することや、乱数を発生させ、その乱数に対応し出力色データを得るよう処理形態を設定することが考えられる。
【００４０】
このように、第１の実施の形態では、３つの発光ダイオードＬＥＤ−Ｒ、ＬＥＤ−Ｂ、ＬＥＤ−Ｇを駆動する場合には、予め設定された時間領域Ｔを分割し、この分割された時間領域における発光ダイオードのＯＮ時間（ｔ１、ｔ２）の総和（積算値）を前記出力色データに設定されたデューティ比のＯＮ時間と一致させることになるので、制御部として処理速度が低い４ビットマイコン２０を使用し、制御系を少ない部品点数で構成したものであるにも拘わらず、発光色の数（分解能）を低下させず、しかも、チラツキを感じさせない処理を実現しているのである。又、調光スイッチ８を操作する毎に、予め設定された順序に従って光源３から発する光線の色相を変更させるので、任意な色相の照明を行えるばかりか、制御を終了する際には、その終了時において光源３から発する光線の色相を保存し、この後に制御が再度実行された場合には、その色相の光線での照明を行えるので、使用する者の好みに応じた色相の照明を継続して行えるのである。
【００４１】
〔第２実施の形態〕
以下、本発明の第２実施の形態を図面に基づいて説明する（この第２実施の形態では前記第１実施の形態と同じ機能を有するものには、第１の実施の形態と共通の番号、符号を付している）。
【００４２】
この第２の実施の形態では、筒状の本体ＡやケーシングＢ等のハードウエアは第１の実施の形態と何ら変わるところがなく、時間経過に伴って光源から発する光線の色相を変化させるよう４ビットマイコンにおいて実行されるプログラムをセットした点において異なるものとなっている。
【００４３】
つまり、前記プログラムは図１１のフローチャートに示すように、電源スイッチ７をＯＮ操作して制御を開始した場合には、ＲＡＭのクリヤ、出力ポートの初期化、ポーリング作動のタイミングの設定、稼動タイマの設定等の初期設定の後に、実行すべきプログラムをセットする処理を行う（＃００１、＃００２ステップ）。
【００４４】
これらの処理のうち、ポーリング作動のタイミングとは、電源スイッチ７と調光スイッチ８との操作状況をマイコン２０でチェックする時間間隔のことであり、このポーリング作動は、前記第１の実施の形態で示したものと変わりがなく、又、稼動タイマは、予め設定された時間（例えば２時間）が経過した後に、この制御を終了するためのタイマである。
【００４５】
次に、出力色データを取得した後に、光量制御ルーチンとプログラム変更ルーチンとを実行し（＃００３ステップ、＃１００、＃３００ステップ）、この後、電源スイッチが再度ＯＮ操作された場合、及び、稼動タイマにセットされた設定時間（例えば２時間）が経過した場合に、制御を停止する（＃００４、＃００５ステップ）。尚、＃００３ステップ〜＃００５ステップの制御の流れを併せて、光源３から発する光線の色相を変化させる処理を実行し、この処理を予め設定された時間の経過後に終了する調色ルーチンＲｏが構成されている。
【００４６】
前記プログラム（＃００２ステップ）は、予め設定されたルールに従って時間経過とともに異なる出力色データを設定する、又は、時間経過とともに乱数を発生させ、この乱数に対応する出力色データを出力するよう処理形態が設定されたものであり、このプログラムはデータ量を少なくするため、通常、決まったルールの処理を設定された時間毎に繰り返すよう処理形態が設定されている。又、前記出力色データは、第１の実施の形態でも説明したように、３つの発光ダイオードＬＥＤ−Ｒ、ＬＥＤ−Ｂ、ＬＥＤ−Ｇの少なくとも１つを発光させることにより、設定された色相で、設定された光量の光線を得るためにＰＷＭ制御のデューティ比を示すデータで示されるものであり、本第２の実施の形態においてもディーティ比のＯＮ時間を第１、第２管理領域でのＯＮ時間（ｔ１、ｔ２）に振り分けている。そして、この出力色データは、前記光量制御ルーチン（＃１００ステップ）に受け渡され、この光量制御ルーチン（＃１００ステップ）は第１の実施の形態にとして図８に示した処理と全く同じ処理を実行することにより、時間経過とともに光源３から発せられる光線の色相が変化させるものとなっている。
【００４７】
前記プログラム変更ルーチン（＃３００ステップ）はサブルーチンとしてセットされたものであり、その処理は、図１２のフローチャートに示すように調光スイッチ８のＯＮ操作を検出すると、このＯＮ操作の回数に基づき予め設定されている複数のプログラムのうち、ＯＮ操作の回数に対応したプログラムを選択する処理を行うものとなっている。４ビットマイコン２０では、多数のプログラムを保存することがデータ量から困難な面もあり、このプログラムルーチンを、例えば、時間経過とともに光源３の色相を変化させる基本的なルールと、色相を変化させる速度のパラメータや、色相を変更する順序を決めるパラメータとを有した構造のプログラムとしておき、調光スイッチ８がＯＮ操作される毎にパラメータに対して予め設定された値や、ランダムに生成した値をセットするよう処理形態を設定することが可能である。
【００４８】
このように、第２の実施の形態では、前述した第１の実施の形態と同様に制御部として処理速度が低い４ビットマイコン２０を使用し、制御系を少ない部品点数で構成したものであるにも拘わらず、発光色の数（分解能）を低下させず、しかも、チラツキを感じさせない処理を実現しているのである。特に、調光スイッチ８を操作する毎に、光源３から発する光線の色相を変更するプログラムを切り換えるので、時間経過とともに異なる形態となるよう色相を変化させる照明を行えるものとなり、使用する者にとって飽きがこない照明を実現するのである。
【図面の簡単な説明】
【図１】第１の実施の形態の被照明体をセットした状態の照明装置の斜視図
【図２】第１の実施の形態の照明装置の分解斜視図
【図３】第１の実施の形態の被照明体をセットした状態の照明装置の断面図
【図４】第１の実施の形態の照明装置の底面図
【図５】第１の実施の形態の照明系で光線が送られる方向を示す図
【図６】第１の実施の形態の制御系のブロック回路図
【図７】第１の実施の形態のマイコンの制御動作を示すフローチャート
【図８】第１の実施の形態の光量制御ルーチンのフローチャート
【図９】第１の実施の形態の変更ルーチンのフローチャート
【図１０】第１の実施の形態の光量制御ルーチンの制御動作を示すタイミングチャート
【図１１】第２の実施の形態のマイコンの制御動作を示すフローチャート
【図１２】第２の実施の形態の変更ルーチンのフローチャート
【図１３】本発明の作用を示すタイミングチャート
【図１４】従来の制御系の一例を示すブロック回路図
【符号の説明】
３              光源
２０            制御手段
Ｔ              時間間隔
ＬＥＤ          発光体・発光ダイオード
Ｒｏ            調色ルーチン
【図１】
2004342399.tif 000003
【図２】
2004342399.tif 000004
【図３】
2004342399.tif 000005
【図４】
2004342399.tif 000006
【図５】
2004342399.tif 000007
【図６】
2004342399.tif 000008
【図７】
2004342399.tif 000009
【図８】
2004342399.tif 000010
【図９】
2004342399.tif 000011
【図１０】
2004342399.tif 000012
【図１１】
2004342399.tif 000013
【図１２】
2004342399.tif 000014
【図１３】
2004342399.tif 000015
【図１４】
2004342399.tif 000016